(57)【要約】【課題】従来よりもコモンモードノイズが低減された電源装置を提供する。【解決手段】負荷に接続される引出バスバ４，５が引き出される引出部の一方側に配置された６個の電源ユニットのうちの半分（ＣＡ１〜３）は、第１端子Ｃが第１バスバ１０に接続され、かつ第２端子Ｄが第１中間バスバ１２ａに接続され、残りの半分（ＤＡ１〜３）は、第１端子Ｃが第１中間バスバ１２ａに接続され、かつ第２端子Ｄが第２バスバ１１に接続されている。上記引出部の他方側に配置された６個の電源ユニットのうちの半分（ＣＢ１〜３）は、第１端子Ｃが第１バスバ１０に接続され、かつ第２端子Ｄが第２中間バスバ１２ｂに接続され、残りの半分（ＤＢ１〜３）は、第１端子Ｃが第２中間バスバ１２ｂに接続され、かつ第２端子Ｄが第２バスバ１１に接続されている。また、第１バスバ１０および第２バスバ１１の間に、接地された接地バスバ１３が配置されている。【選択図】図３
2018125981.tif 000002
【特許請求の範囲】
【請求項１】
負荷の一端に接続される第１引出導体と、前記負荷の他端に接続される第２引出導体と、前記第１引出導体および前記第２引出導体の引出部の両側に２×ｎ個（ただし、ｎは１以上の整数）ずつ隣接配置された電源ユニットとを備えた電源装置であって、
前記第１引出導体に接続された第１導体と、
前記第２引出導体に接続された第２導体と、
互いに分離して配置された第１中間導体および第２中間導体と、
当該電源装置の内部または外部において接地された接地導体と
をさらに備え、
前記電源ユニットは、第１端子および第２端子を有し、
前記引出部の一方側に配置された２×ｎ個の前記電源ユニットのうちの一部は、前記第１端子が前記第１導体に接続され、かつ前記第２端子が前記第１中間導体に接続され、残部は、前記第１端子が前記第１中間導体に接続され、かつ前記第２端子が前記第２導体に接続され、
前記引出部の他方側に配置された２×ｎ個の前記電源ユニットのうちの一部は、前記第１端子が前記第１導体に接続され、かつ前記第２端子が前記第２中間導体に接続され、残部は、前記第１端子が前記第２中間導体に接続され、かつ前記第２端子が前記第２導体に接続され、
前記接地導体は、前記第１導体と前記第２導体の間に配置されている
ことを特徴とする電源装置。
【請求項２】
前記引出部の一方側に配置された２×ｎ個の前記電源ユニットのうちの半分は、前記第１端子が前記第１導体に接続され、かつ前記第２端子が前記第１中間導体に接続され、残りの半分は、前記第１端子が前記第１中間導体に接続され、かつ前記第２端子が前記第２導体に接続され、
前記引出部の他方側に配置された２×ｎ個の前記電源ユニットのうちの半分は、前記第１端子が前記第１導体に接続され、かつ前記第２端子が前記第２中間導体に接続され、残りの半分は、前記第１端子が前記第２中間導体に接続され、かつ前記第２端子が前記第２導体に接続されている
ことを特徴とする請求項１に記載の電源装置。
【請求項３】
前記引出部の一方側および他方側に配置された前記電源ユニットのうちの前記半分および前記残りの半分は、それぞれ互いに隣接して配置されている
ことを特徴とする請求項２に記載の電源装置。
【請求項４】
前記引出部の一方側および他方側に配置された前記電源ユニットのうちの前記半分および前記残りの半分は、１個ずつ交互に配置されている
ことを特徴とする請求項２に記載の電源装置。
【請求項５】
当該電源装置の外部において接地される第３引出導体をさらに備え、
前記接地導体は、前記第３引出導体に接続され、
前記第３引出導体は、前記引出部から引き出されている
ことを特徴とする請求項１〜請求項４のいずれか一項に記載の電源装置。
【請求項６】
前記第１中間導体および前記第２中間導体は、前記第１導体と前記接地導体の間、または前記第２導体と前記接地導体の間に配置されている
ことを特徴とする請求項１〜請求項５のいずれか一項に記載の電源装置。
【請求項７】
前記負荷は、電磁石であることを特徴とする請求項１〜請求項６のいずれか一項に記載の電源装置。
【発明の詳細な説明】
【技術分野】
【０００１】
本発明は、電磁石等の負荷にｋＡオーダーのパルス状大電流を印加するための電源装置に関する。
【背景技術】
【０００２】
物理化学実験や医療等の分野で使用される加速器には、負荷としての電磁石にパルス状大電流を印加するための電源装置が備えられている。このような電源装置としては、例えば、特許文献１に記載の電源装置１００が知られている。
【０００３】
図９（Ａ）に示すように、電源装置１００は、第１電流源１０１と、第２電流源１０２と、第１電流源１０１の第１端子Ｃを引き出す第１引出バスバ１０３と、第２電流源１０２の第２端子Ｄを引き出す第２引出バスバ１０４とを備えている。第１引出バスバ１０３は、端部１０６において電磁石Ｌの一端に接続される。第２引出バスバ１０４は、端部１０７において電磁石Ｌの他端に接続される。また、第１電流源１０１の第２端子Ｄおよび第２電流源１０２の第１端子Ｃは、中間バスバ１１１によって接続されている。
【０００４】
電源装置１００は、コモンモードノイズを低減するために、図９（Ｂ）に示された電源装置１００’のように構成される場合もある。電源装置１００’は、第１電流源１０１、第２電流源１０２、第１引出バスバ１０３および第２引出バスバ１０４に加え、中間バスバ１１１（第１電流源１０１の第２端子Ｄ，第２電流源１０２の第１端子Ｃ）を引き出す第３引出バスバ１０５を備えている。第３引出バスバ１０５は、端部１０８において接地される。
【０００５】
図１０は、第１電流源１０１を並列接続された６個の電源ユニットＣＡ１〜３，ＣＢ１〜３（以下、まとめて「第１電源ユニット群ＣＡＢ」という）で構成し、第２電流源１０２を並列接続された６個の電源ユニットＤＡ１〜３，ＤＢ１〜３（以下、まとめて「第２電源ユニット群ＤＡＢ」という）で構成した場合の、電源装置１００’のレイアウトの一例を示している。同図に示すように、第１電源ユニット群ＣＡＢの第１端子Ｃはバスバ１０９に接続され、バスバ１０９は第１引出バスバ１０３に接続されている。また、第２電源ユニット群ＤＡＢの第２端子Ｄはバスバ１１０に接続され、バスバ１１０は第２引出バスバ１０４に接続されている。さらに、第１電源ユニット群ＣＡＢの第２端子Ｄおよび第２電源ユニット群ＤＡＢの第１端子Ｃは中間バスバ１１１に接続され、中間バスバ１１１は第３引出バスバ１０５に接続されている。この結果、第１電源ユニット群ＣＡＢの第１端子Ｃから出力された電流は、“バスバ１０９→第１引出バスバ１０３→電磁石Ｌ→第２引出バスバ１０４→バスバ１１０→第２電源ユニット群ＤＡＢの第２端子Ｄ”の経路を流れる。そして、第２電源ユニット群ＤＡＢの第１端子Ｃから出力された電流は、“中間バスバ１１１→第１電源ユニット群ＣＡＢの第２端子Ｄ”の経路を流れる。
【先行技術文献】
【特許文献】
【０００６】
【特許文献１】特許第５６１４８１３号公報
【発明の概要】
【発明が解決しようとする課題】
【０００７】
上記の通り、従来の電源装置１００’では、中間バスバ１１１を電流経路として利用する。このため、電源装置１００’では、接地電位と中間バスバ１１１の電位との間にズレが生じ、コモンモードノイズが期待した通りに低減されなかった。
【０００８】
また、この電源装置１００’では、電源ユニットＣＡ１の近傍においては、バスバ１０９にＩｕ×１（ただし、Ｉｕは１個の電源ユニットが出力する電流）の電流が流れるが、電源ユニットＣＢ３の近傍にいては、バスバ１０９にＩｕ×６の電流が流れる。バスバ１１０および中間バスバ１１１においても、同様の偏りが生じる。この電流の大きな偏り（最大で、各電源ユニット群を構成する電源ユニットの並列接続台数６に等しい６倍の偏り）も、コモンモードノイズを悪化させる一因となっていた。
【０００９】
本発明は上記事情に鑑みてなされたものであって、その課題とするところは、従来よりもコモンモードノイズが低減された電源装置を提供することにある。
【課題を解決するための手段】
【００１０】
上記課題を解決するために、本発明に係る電源装置は、負荷の一端に接続される第１引出導体と、負荷の他端に接続される第２引出導体と、第１引出導体および第２引出導体の引出部の両側に２×ｎ個（ただし、ｎは１以上の整数）ずつ隣接配置された電源ユニットとを備えた電源装置であって、第１引出導体に接続された第１導体と、第２引出導体に接続された第２導体と、互いに分離して配置された第１中間導体および第２中間導体と、当該電源装置の内部または外部において接地された接地導体とをさらに備え、電源ユニットは、第１端子および第２端子を有し、引出部の一方側に配置された２×ｎ個の電源ユニットのうちの一部は、第１端子が第１導体に接続され、かつ第２端子が第１中間導体に接続され、残部は、第１端子が第１中間導体に接続され、かつ第２端子が第２導体に接続され、引出部の他方側に配置された２×ｎ個の電源ユニットのうちの一部は、第１端子が第１導体に接続され、かつ第２端子が第２中間導体に接続され、残部は、第１端子が第２中間導体に接続され、かつ第２端子が第２導体に接続され、接地導体は、第１導体と第２導体の間に配置されていることを特徴とする。
【００１１】
この構成では、第１導体および第１引出導体を介して負荷の一端に接続される電源ユニットが、引出部の両側に分割して配置されている。また、この構成では、第２導体および第２引出導体を介して負荷の他端に接続される電源ユニットが、引出部の両側に分割して配置されている。したがって、この構成によれば、第１導体および第２導体における電流の偏りが減り、コモンモードノイズが低減される。
【００１２】
また、この構成では、第１中間導体および第２中間導体が設けられ、これらが接地導体に代わる電流経路となる。したがって、この構成によれば、第１導体および第２導体の間に配置された接地導体の電位が接地電位に等しくなり、コモンモードノイズが低減される。
【００１３】
上記電源装置は、引出部の一方側に配置された２×ｎ個の電源ユニットのうちの半分は、第１端子が第１導体に接続され、かつ第２端子が第１中間導体に接続され、残りの半分は、第１端子が第１中間導体に接続され、かつ第２端子が第２導体に接続され、引出部の他方側に配置された２×ｎ個の電源ユニットのうちの半分は、第１端子が第１導体に接続され、かつ第２端子が第２中間導体に接続され、残りの半分は、第１端子が第２中間導体に接続され、かつ第２端子が第２導体に接続されていることが好ましい。
【００１４】
この構成によれば、第１導体および第１引出導体を介して負荷の一端に接続される２×ｎ個の電源ユニットが、引出部の両側にｎ個ずつに均等に分割して配置されている。また、この構成では、第２導体および第２引出導体を介して負荷の他端に接続される２×ｎ個の電源ユニットが、引出部の両側にｎ個ずつに均等に分割して配置されている。したがって、この構成によれば、第１導体および第２導体における電流の偏りがさらに減り、コモンモードノイズがさらに低減される。
【００１５】
上記電源装置は、引出部の一方側および他方側に配置された電源ユニットのうちの半分および残りの半分が、それぞれ互いに隣接して配置されていてもよいし、１個ずつ交互に配置されていてもよい。
【００１６】
上記電源装置は、当該電源装置の外部において接地される第３引出導体をさらに備え、接地導体が第３引出導体に接続され、かつ第３引出導体が引出部から引き出されていてもよい。
【００１７】
この構成によれば、接地導体の電位を容易に接地電位とすることができる。
【００１８】
上記電源装置の第１中間導体および第２中間導体は、例えば、第１導体と接地導体の間、または第２導体と接地導体の間に配置することができる。
【００１９】
上記電源装置が駆動する負荷は、例えば、電磁石である。
【発明の効果】
【００２０】
本発明によれば、従来よりもコモンモードノイズが低減された電源装置を提供することができる。
【図面の簡単な説明】
【００２１】
【図１】第１実施例に係る電源装置のブロック図である。
【図２】第１実施例に係る電源装置の概略的な外観正面図である。
【図３】第１実施例に係る電源装置の概略的なレイアウト図である。
【図４】第２実施例に係る電源装置の概略的なレイアウト図である。
【図５】第１変形例に係る電源装置の概略的なレイアウト図である。
【図６】第２変形例に係る電源装置の概略的なレイアウト図である。
【図７】第３変形例に係る電源装置の概略的なレイアウト図である。
【図８】第４変形例に係る電源装置の概略的なレイアウト図である。
【図９】従来の電源装置のブロック図である。
【図１０】従来の電源装置の概略的なレイアウト図である。
【発明を実施するための形態】
【００２２】
以下、添付図面を参照しつつ、本発明に係る電源装置の実施例について説明する。
【００２３】
［第１実施例］
図１は、本発明の第１実施例に係る電源装置１Ａのブロック図である。同図に示すように、本実施例に係る電源装置１Ａは、第１電流源２と、第２電流源３と、第１電流源２の第１端子Ｃを引き出す第１引出バスバ４（本発明の「第１引出導体」に相当する）と、第２電流源３の第２端子Ｄを引き出す第２引出バスバ５（本発明の「第２引出導体」に相当する）と、第３引出バスバ６（本発明の「第３引出導体」に相当する）と、第１電流源２の第２端子Ｄおよび第２電流源３の第１端子Ｃを接続する第１中間バスバ１２ａ（本発明の「第１中間導体」に相当する）および第２中間バスバ１２ｂ（本発明の「第２中間導体」に相当する）とを備えている。第１中間バスバ１２ａおよび第２中間バスバ１２ｂは、互いに分離して配置されている。第１引出バスバ４は、端部７において電磁石Ｌの一端に接続される。第２引出バスバ５は、端部８において電磁石Ｌの他端に接続される。また、第３引出バスバ６は、端部９において接地される。電源装置１Ａは、電磁石Ｌにパルス状高電流Ｉを印加するためのものである。
【００２４】
図２に示すように、本実施例に係る電源装置１Ａは、各１個の電源ユニットを収容した１２個の箱型の筐体Ｂｃａ１〜３，Ｂｃｂ１〜３，Ｂｄａ１〜３，Ｂｄｂ１〜３と、本発明の「引出部」に相当する箱型の引出筺体Ｂｏとを備えている。第１引出バスバ４、第２引出バスバ５および第３引出バスバ６は、引出筺体Ｂｏから引き出されている。筐体Ｂｃａ１〜３，Ｂｃｂ１〜３は、第１電流源２を構成する電源ユニットＣＡ１〜３，ＣＢ１〜３を収容している。また、筐体Ｂｄａ１〜３，Ｂｄｂ１〜３は、第２電流源３を構成する電源ユニットＤＡ１〜３，ＤＢ１〜３を収容している。
【００２５】
筐体Ｂｃａ１〜３，Ｂｃｂ１〜３，Ｂｄａ１〜３，Ｂｄｂ１〜３は、引出筺体Ｂｏの両側に分かれて直線状に隣接配置されている。このため、当然ながら、電源ユニットＣＡ１〜３，ＣＢ１〜３，ＤＡ１〜３，ＤＢ１〜３も、引出筺体Ｂｏの両側に分かれて直線状に隣接配置されている。より詳しくは、引出筺体Ｂｏの一方側に電源ユニットＤＡ１〜３が互いに隣接して配置され、さらにその外側に電源ユニットＣＡ１〜３が互いに隣接して配置されている。また、引出筺体Ｂｏの他方側に電源ユニットＣＢ１〜３が互いに隣接して配置され、さらにその外側に電源ユニットＤＢ１〜３が互いに隣接して配置されている。
【００２６】
図３に示すように、電源装置１Ａは、本発明の「第１導体」に相当する第１バスバ１０と、本発明の「第２導体」に相当する第２バスバ１１と、前述の中間バスバ（第１中間バスバ１２ａ，第２中間バスバ１２ｂ）と、本発明の「接地導体」に相当する接地バスバ１３とをさらに備えている。各バスバ１０，１１，１２ａ，１２ｂ，１３は、筐体Ｂｃａ１〜３，Ｂｃｂ１〜３，Ｂｄａ１〜３，Ｂｄｂ１〜３，Ｂｏを貫通して、電源ユニットＣＡ１〜３，ＣＢ１〜３，ＤＡ１〜３，ＤＢ１〜３の隣接方向に沿って延びている。
【００２７】
第１バスバ１０は、第１引出バスバ４と、第１電流源２を構成する電源ユニットＣＡ１〜３，ＣＢ１〜３の第１端子Ｃとに接続されている。第２バスバ１１は、第２引出バスバ５と、第２電流源３を構成する電源ユニットＤＡ１〜３，ＤＢ１〜３の第２端子Ｄとに接続されている。第１中間バスバ１２ａは、第１電流源２を構成する電源ユニットＣＡ１〜３の第２端子Ｄと、第２電流源３を構成する電源ユニットＤＡ１〜３の第１端子Ｃとに接続されている。第２中間バスバ１２ｂは、第１電流源２を構成する電源ユニットＣＢ１〜３の第２端子Ｄと、第２電流源３を構成する電源ユニットＤＢ１〜３の第１端子Ｃとに接続されている。また、接地バスバ１３は、第３引出バスバ６に接続されている。
【００２８】
すなわち、第１中間バスバ１２ａは、電源ユニットＣＡ１〜３，ＤＡ１〜３にのみ接続されており、外部に引き出されていない。第２中間バスバ１２ｂは、電源ユニットＣＢ１〜３，ＤＢ１〜３にのみ接続されており、外部に引き出されていない。また、接地バスバ１３は、どの電源ユニットにも接続されていない。
【００２９】
接地バスバ１３は、第１バスバ１０および第２バスバ１１の間に配置されている。また、第１中間バスバ１２ａおよび第２中間バスバ１２ｂは、第１バスバ１０および接地バスバ１３の間に配置されている。
【００３０】
電源ユニットＣＡ１〜３の第１端子Ｃから出力された電流は、第１バスバ１０および第１引出バスバ４を通って電磁石Ｌに印加される。同様に、電源ユニットＣＢ１〜３の第１端子Ｃから出力された電流は、第１バスバ１０および第１引出バスバ４を通って電磁石Ｌに印加される。電源ユニットＣＡ１〜３および電源ユニットＣＢ１〜３が第１引出バスバ４の両側に分かれて配置されているので、第１バスバ１０には、最大でもＩｕ×３の電流しか流れない。なお、第１引出バスバ４には、Ｉｕ×６の電流が流れる。
【００３１】
電磁石Ｌを通過した電流は、第２引出バスバ５および第２バスバ１１を通って電源ユニットＤＡ１〜３，ＤＢ１〜３の第２端子Ｄに到達する。電源ユニットＤＡ１〜３および電源ユニットＤＢ１〜３が第２引出バスバ５の両側に分かれて配置されているので、第２バスバ１１には、最大でもＩｕ×３の電流しか流れない。なお、第２引出バスバ５には、Ｉｕ×６の電流が流れる。
【００３２】
電源ユニットＤＡ１〜３の第１端子Ｃから出力された電流は、第１中間バスバ１２ａを通って電源ユニットＣＡ１〜３の第２端子Ｄに到達する。同様に、電源ユニットＤＢ１〜３の第１端子Ｃから出力された電流は、第２中間バスバ１２ｂを通って電源ユニットＣＢ１〜３の第２端子Ｄに到達する。このため、第１中間バスバ１２ａおよび第２中間バスバ１２ｂには、最大でもＩｕ×３の電流しか流れない。
【００３３】
このように、本実施例に係る電源装置１Ａでは、端部９において接地された接地バスバ１３を電流経路として利用しない。また、電源装置１Ａでは、第１バスバ１０、第２バスバ１１および中間バスバ１２ａ，１２ｂに流れる電流が、最大でもＩｕ×３である（同じ数の電源ユニットを備えた従来の構成では、Ｉｕ×６）。したがって、電源装置１Ａによれば、従来の構成よりもコモンモードノイズを低減することができる。
【００３４】
［第２実施例］
図４に、本発明の第２実施例に係る電源装置１Ｂを示す。本実施例に係る電源装置１Ｂは、電源ユニットＣＡ１〜３，ＣＢ１〜３，ＤＡ１〜３，ＤＢ１〜３の配置が第１実施例に係る電源装置１Ａとは異なっているが、他の点においては第１実施例に係る電源装置１Ｂと共通している。
【００３５】
すなわち、電源装置１Ａでは、引出筺体Ｂｏの一方側に配置された電源ユニットＣＡ１〜３および電源ユニットＤＡ１〜３がそれぞれまとまって配置されているのに対し、電源装置１Ｂでは、電源ユニットＣＡ１〜３および電源ユニットＤＡ１〜３が１個ずつ交互に配置されている。より詳しくは、電源装置１Ｂでは、第１電流源２を構成する電源ユニットＣＡ１の隣に第２電流源３を構成する電源ユニットＤＡ１が配置され、さらにその隣に第１電流源２を構成する電源ユニットＣＡ２が配置され、さらにその隣に第２電流源３を構成する電源ユニットＤＡ２が配置され、さらにその隣に第１電流源２を構成する電源ユニットＣＡ３が配置され、さらにその隣に第２電流源３を構成する電源ユニットＤＡ３が配置されている。
【００３６】
引出筺体Ｂｏの他方側についても同様である。
【００３７】
本実施例に係る電源装置１Ｂでは、同一地点（第１および第２バスバ１０，１１上の任意の地点をそれぞれ地点Ｘ，Ｙとしたとき、第１バスバ１０と第１引出バスバ４との接続点から地点Ｘまでの距離と、第２バスバ１１と第２引出バスバ５との接続点から地点Ｙまでの距離とがほぼ等しい地点Ｘ、Ｙ）において接地バスバ１３を挟んで対向する第１バスバ１０および第２バスバ１１を流れる電流の差が比較的小さい。例えば、電源装置１Ｂでは、電源ユニットＤＡ１の近傍において、第１バスバ１０および第２バスバ１１にＩｕ×１の電流（ただし、向きは逆）が流れるが、第１実施例に係る電源装置１Ａの電源ユニットＤＡ１の近傍においては、第１バスバ１０にはＩｕ×３の電流が流れ、第２バスバ１１にはＩｕ×１の電流が流れる。したがって、本実施例に係る電源装置１Ｂによれば、第１実施例に係る電源装置１Ａよりも、さらにコモンモードノイズを低減することができる。
【００３８】
以上、本発明に係る電源装置の第１実施例および第２実施例について説明してきたが、本発明に係る電源装置は、これらの構成に限定されるものではなく、以下のような構成を有していてもよい。
【００３９】
［第１変形例］
図５に、本発明の第１変形例に係る電源装置１Ｃを示す。本変形例に係る電源装置１Ｃは、電源ユニットＣＢ１〜ＣＢ３および電源ユニットＤＢ１〜ＤＢ３の配置が逆になっている点において第１実施例に係る電源装置１Ａと異なっている。
【００４０】
［第２変形例］
図６に、本発明の第２変形例に係る電源装置１Ｄを示す。本変形例に係る電源装置１Ｄは、個々の電源ユニットＣＢ１〜ＣＢ３，ＤＢ１〜ＤＢ３が反転して配置されている（すなわち、第２端子Ｄが第１端子Ｃよりも引出筺体Ｂｏに近い）点において第１変形例に係る電源装置１Ｃと異なっている。
【００４１】
［第３変形例］
図７に、本発明の第３変形例に係る電源装置１Ｅを示す。本変形例に係る電源装置１Ｅは、電源ユニットＣＢ１および電源ユニットＤＢ１の配置、電源ユニットＣＢ２および電源ユニットＤＢ２の配置、および電源ユニットＣＢ３および電源ユニットＤＢ３の配置が逆になっている点において第２実施例に係る電源装置１Ｂと異なっている。
【００４２】
［第４変形例］
図８に、本発明の第４変形例に係る電源装置１Ｆを示す。本変形例に係る電源装置１Ｆは、個々の電源ユニットＣＢ１〜ＣＢ３，ＤＢ１〜ＤＢ３が反転して配置されている（すなわち、第２端子Ｄが第１端子Ｃよりも引出筺体Ｂｏに近い）点において第３変形例に係る電源装置１Ｅと異なっている。
【００４３】
［その他の変形例］
上記各実施例および各変形例では、第１電流源２および第２電流源３を構成する１２個の電源ユニットＣＡ１〜３，ＣＢ１〜３，ＤＡ１〜３，ＤＢ１〜３を６個の電源ユニットＣＡ１〜３，ＤＡ１〜３と６個の電源ユニットＣＢ１〜３，ＤＢ１〜３とに分割して配置したが、電源ユニットの数を４×ｎ個（ただし、ｎは１以上の整数）とし、２×ｎ個ずつに分割して配置してもよい。ただし、この２×ｎ個の電源ユニットのそれぞれには、第１電流源２を構成する電源ユニットと第２電流源３を構成する電源ユニットとが均等に含まれていることが好ましい。
【００４４】
また、第１中間バスバ１２ａおよび第２中間バスバ１２ｂは、接地バスバ１３および第２バスバ１１の間に配置されていてもよい。さらに、第１中間バスバ１２ａおよび第２中間バスバ１２ｂは、一方が第１バスバ１０と接地バスバ１３の間に配置され、他方が接地バスバ１３と第２バスバ１１の間に配置されていてもよい。
【００４５】
また、接地バスバ１３は、外部に引き出されることなく、引出筺体Ｂｏの内部で接地されてもよい。
【００４６】
また、本発明に係る電源装置が駆動する負荷は、電磁石に限定されない。
【符号の説明】
【００４７】
１Ａ，１Ｂ，１Ｃ，１Ｄ，１Ｅ，１Ｆ    電源装置
２    第１電流源
３    第２電流源
４    第１引出バスバ（第１引出導体）
５    第２引出バスバ（第２引出導体）
６    第３引出バスバ（第３引出導体）
７    （第１引出バスバの）端部
８    （第２引出バスバの）端部
９    （第３引出バスバの）端部
１０    第１バスバ（第１導体）
１１    第２バスバ（第２導体）
１２ａ    第１中間バスバ（第１中間導体）
１２ｂ    第２中間バスバ（第２中間導体）
１３    接地バスバ（接地導体）
ＣＡ１，ＣＡ２，ＣＡ３，ＣＢ１，ＣＢ２，ＣＢ３    電源ユニット
ＤＡ１，ＤＡ２，ＤＡ３，ＤＢ１，ＤＢ２，ＤＢ３    電源ユニット
Ｌ    電磁石
【図１】
2018125981.tif 000003
【図２】
2018125981.tif 000004
【図３】
2018125981.tif 000005
【図４】
2018125981.tif 000006
【図５】
2018125981.tif 000007
【図６】
2018125981.tif 000008
【図７】
2018125981.tif 000009
【図８】
2018125981.tif 000010
【図９】
2018125981.tif 000011
【図１０】
2018125981.tif 000012